(57)【要約】【課題】  小型化を図ることができると共に、諸収差が良好に補正され、高画素の撮像素子に対応可能な、最大画角が７０°以上の撮像レンズを提供する。【解決手段】  物体側から像面側に向かって順に配置された、正のパワーを有する両凸レンズからなる第１レンズ１と、負のパワーを有し、像面側のレンズ面が凹面である第２レンズ２と、正のパワーを有し、像面側のレンズ面が凸面であるメニスカスレンズからなる第３レンズ３と、負のパワーを有し、両方のレンズ面が非球面形状で、像面側のレンズ面が光軸近傍で凹面である第４レンズ４とを備えた撮像レンズ７である。撮像レンズ７は、光学系全体の焦点距離をｆ、最大像高をＹ’、光学系の全長をＴＬとしたとき、下記条件式（１）、（２）を満足する。          １．２０＜ｆ／Ｙ’＜１．３５            ・・・（１）          ＴＬ／Ｙ’＜２．０                      ・・・（２）【選択図】  図１
2010271541.tif 000002
【特許請求の範囲】
【請求項１】
物体側から像面側に向かって順に配置された、正のパワーを有する両凸レンズからなる第１レンズと、負のパワーを有し、像面側のレンズ面が凹面である第２レンズと、正のパワーを有し、像面側のレンズ面が凸面であるメニスカスレンズからなる第３レンズと、負のパワーを有し、両方のレンズ面が非球面形状で、像面側のレンズ面が光軸近傍で凹面である第４レンズとを備え、
光学系全体の焦点距離をｆ、最大像高をＹ’、光学系の全長をＴＬとしたとき、下記条件式（１）、（２）を満足する撮像レンズ
１．２０＜ｆ／Ｙ’＜１．３５            ・・・（１）
ＴＬ／Ｙ’＜２．０                      ・・・（２）
【請求項２】
前記第１レンズの物体側のレンズ面の曲率半径をＲ１１、前記第１レンズの像面側のレンズ面の曲率半径をＲ１２としたとき、下記条件式（３）を満足する、請求項１に記載の撮像レンズ。
１．０５＜｜Ｒ１１／Ｒ１２｜＜３．０    ・・・（３）
【請求項３】
前記第１レンズのｄ線（５８７．５６００ｎｍ）に対するアッベ数をν１としたとき、下記条件式（４）を満足する、請求項１又は２に記載の撮像レンズ。
６０＜ν１                            ・・・（４）
【請求項４】
前記第２〜第４レンズがプラスチックレンズからなる、請求項３に記載の撮像レンズ。
【請求項５】
前記第１〜第４レンズが、いずれもプラスチックレンズからなる、請求項１又は２に記載の撮像レンズ。
【請求項６】
前記第３レンズの物体側のレンズ面が非球面形状であり、かつ、前記第３レンズの物体側のレンズ面の有効径内の、光軸から離れた周辺部に、少なくとも１つの変曲点を有する、請求項５に記載の撮像レンズ。
【請求項７】
前記第４レンズの物体側のレンズ面の有効径内の、光軸から離れた周辺部に、少なくとも１つの変曲点を有する、請求項５に記載の撮像レンズ。
【請求項８】
被写体に対応した光信号を画像信号に変換して出力する撮像素子と、前記撮像素子の撮像面に前記被写体の像を結像させる撮像レンズとを備えた撮像装置であって、
前記撮像レンズとして請求項１〜７のいずれか１項に記載の撮像レンズを用いたことを特徴とする撮像装置。
【発明の詳細な説明】
【技術分野】
【０００１】
本発明は、撮像装置を搭載した例えば携帯電話機、デジタルカメラ、小型撮影装置等の小型のモバイル製品に好適な撮像レンズ、及び、当該撮像レンズを用いた撮像装置に関する。
【背景技術】
【０００２】
近年、例えば携帯電話機等の小型のモバイル製品にも撮像装置（カメラモジュール）を搭載したものが普及し、かかる小型のモバイル製品を用いて簡易に写真撮影を行うことが一般的になってきている。そして、かかる小型のモバイル製品に搭載される撮像装置用の撮像レンズとしては、小型で広画角を確保することができると共に、諸収差が良好に補正され、高画素の撮像素子に対応可能な（撮像画像の画質を向上させることのできる）４枚構成のものが提案されている（例えば、特許文献１参照）。
【０００３】
特許文献１に記載の撮像レンズは、物体側から像面側に向かって順に配置された、正のパワーを有する両凸レンズからなる第１レンズと、負のパワーを有し、像面側のレンズ面が凹面である第２レンズと、正のパワーを有し、像面側のレンズ面が凸面であるメニスカスレンズからなる第３レンズと、負のパワーを有し、両方のレンズ面が非球面形状で、像面側のレンズ面が光軸近傍で凹面である第４レンズとを備え、第２レンズの像面側のレンズ面の曲率半径をＲ２２、光学系全体の焦点距離をｆとしたときに、下記条件式（５）を満足している。
【０００４】
０．２＜Ｒ２２／ｆ＜０．６    ・・・（５）
一方、携帯電話機等の小型のモバイル製品に搭載される撮像装置においては、さらなる高性能化を図るためにも、小型で高画素の撮像素子に対応可能であることに加え、最大画角が７０°程度以上の広角化を実現できる撮像レンズが求められている。
【先行技術文献】
【特許文献】
【０００５】
【特許文献１】特開２００７−２８６１５３号公報
【発明の概要】
【発明が解決しようとする課題】
【０００６】
しかし、特許文献１に記載の撮像レンズにおいては、最大画角が６０°〜６５°程度であり、最大画角が７０°程度以上の広角化を実現するには至っていない。
【０００７】
本発明は、従来技術における前記課題を解決するためになされたものであり、小型化を図ることができると共に、諸収差が良好に補正されて、高画素の撮像素子に対応可能な、最大画角が７０°以上の撮像レンズ、及び、当該撮像レンズを用いた撮像装置を提供することを目的とする。
【課題を解決するための手段】
【０００８】
前記目的を達成するため、本発明に係る撮像レンズの構成は、物体側から像面側に向かって順に配置された、正のパワーを有する両凸レンズからなる第１レンズと、負のパワーを有し、像面側のレンズ面が凹面である第２レンズと、正のパワーを有し、像面側のレンズ面が凸面であるメニスカスレンズからなる第３レンズと、負のパワーを有し、両方のレンズ面が非球面形状で、像面側のレンズ面が光軸近傍で凹面である第４レンズとを備え、
光学系全体の焦点距離をｆ、最大像高をＹ’、光学系の全長（光学全長）をＴＬとしたとき、下記条件式（１）、（２）を満足することを特徴とする。
【０００９】
１．２０＜ｆ／Ｙ’＜１．３５            ・・・（１）
ＴＬ／Ｙ’＜２．０                      ・・・（２）
前記本発明の撮像レンズの構成によれば、レンズの構成枚数が少なく、かつ、上記条件式（２）を満足することにより、小型の（光学全長の短い）撮像レンズを実現することができる。また、前記第１レンズが両凸レンズであることにより、正のパワーをそれぞれのレンズ面に分散させることができるので、収差が発生しにくく、小型化しやすい撮像レンズを提供することができる。また、前記第２及び第３レンズとして、像面側のレンズ面が凹面である第２レンズと、像面側のレンズ面が凸面であるメニスカスレンズからなる第３レンズとを用いていることにより、前記第２及び第３レンズに入射する光線の角度を小さくして、光線収差を小さくすることができる。また、前記第４レンズの両方のレンズ面を非球面形状としたことにより、歪曲収差及び像面湾曲を良好に補正することができる。また、上記条件式（１）を満足させることにより、最大画角が７０°以上の広角化を実現することができる。
【００１０】
そして、以上のことから、前記本発明の撮像レンズの構成によれば、小型化を図ることができると共に、諸収差が良好に補正されて、携帯電話機等の小型のモバイル製品に搭載される高画素の撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能な、最大画角が７０°以上の撮像レンズを提供することができる。
【００１１】
また、前記本発明の撮像レンズの構成においては、前記第１レンズの物体側のレンズ面の曲率半径をＲ１１、前記第１レンズの像面側のレンズ面の曲率半径をＲ１２としたとき、下記条件式（３）を満足するのが好ましい。
【００１２】
１．０５＜｜Ｒ１１／Ｒ１２｜＜３．０    ・・・（３）
この好ましい例によれば、前記第１レンズにおいて、物体側のレンズ面よりも像面側のレンズ面のパワーを大きくして、小型化と広角化を図りつつ、諸収差、特に、球面収差及び軸上色収差をさらに良好に補正することが可能となる。
【００１３】
また、前記本発明の撮像レンズの構成においては、前記第１レンズのｄ線（５８７．５６００ｎｍ）に対するアッベ数をν１としたとき、下記条件式（４）を満足するのが好ましい。
【００１４】
６０＜ν１                            ・・・（４）
このように、パワーの大きい第１レンズとして上記条件式（４）を満足するガラスレンズを用いることにより、各レンズ間のレンズ間隔を狭くしても、諸収差、特に、色収差を良好に補正することができる。従って、この好ましい例によれば、撮像レンズのさらなる小型化を図ることができる。
【００１５】
また、この場合には、前記第２〜第４レンズがプラスチックレンズからなるのが好ましい。この好ましい例によれば、前記第２〜第４レンズとして低コストのプラスチックレンズを用いて、撮像レンズの低コスト化を図ることができる。また、このように前記第２〜第４レンズとしてプラスチックレンズを用いることにより、非球面形状やコバ部の形状の付与を含むレンズの成形が容易になる。そして、コバ部の形状の設計自由度が高くなることにより、前記第２〜第４レンズに対して、フレアやゴーストによる撮像画像の画質の低下を防止するための構造を設計したり、組み立てやすいコバ部の形状を設計したりすることが可能となる。
【００１６】
また、前記本発明の撮像レンズの構成においては、前記第１〜第４レンズが、いずれもプラスチックレンズからなるのが好ましい。この好ましい例によれば、前記第１〜第４レンズとして低コストのプラスチックレンズを用いて、撮像レンズの低コスト化を図ることができる。また、このように前記第１〜第４レンズとしてプラスチックレンズを用いることにより、非球面形状やコバ部の形状の付与を含むレンズの成形が容易になる。そして、コバ部の形状の設計自由度が高くなることにより、前記第１〜第４レンズに対して、フレアやゴーストによる撮像画像の画質の低下を防止するための構造を設計したり、組み立てやすいコバ部の形状を設計したりすることが可能となる。また、この場合には、前記第３レンズの物体側のレンズ面が非球面形状であり、かつ、前記第３レンズの物体側のレンズ面の有効径内の、光軸から離れた周辺部に、少なくとも１つの変曲点を有するのが好ましい。また、この場合には、前記第４レンズの物体側のレンズ面の有効径内の、光軸から離れた周辺部に、少なくとも１つの変曲点を有するのが好ましい。これらの好ましい例によれば、撮像素子の撮像面の周辺部に結像する光線の収差を良好に補正することができるので、撮像画像の画質のさらなる向上を図ることができる。
【００１７】
また、本発明に係る撮像装置の構成は、被写体に対応した光信号を画像信号に変換して出力する撮像素子と、前記撮像素子の撮像面に前記被写体の像を結像させる撮像レンズとを備えた撮像装置であって、前記撮像レンズとして前記本発明の撮像レンズを用いたことを特徴とする。
【００１８】
前記本発明の撮像装置の構成によれば、撮像レンズとして前記本発明の撮像レンズを用いていることにより、小型で最大画角７０°以上を確保することができる高性能な撮像装置、ひいては当該撮像装置が搭載される小型で高性能な携帯電話機等のモバイル製品を提供することが可能となる。
【発明の効果】
【００１９】
以上のように、本発明によれば、小型化を図ることができると共に、諸収差が良好に補正されて、携帯電話機等の小型のモバイル製品に搭載される高画素の撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能な、最大画角が７０°以上の撮像レンズ、及び、当該撮像レンズを用いた高性能な撮像装置を提供することができる。
【図面の簡単な説明】
【００２０】
【図１】本発明の第１の実施の形態における撮像レンズの構成を示す配置図
【図２】本発明の実施例１における撮像レンズの収差図（（ａ）は球面収差の図（軸上色収差の図）、（ｂ）は非点収差の図、（ｃ）は歪曲収差の図）
【図３】本発明の第２の実施の形態における撮像レンズの構成を示す配置図
【図４】本発明の実施例２における撮像レンズの収差図（（ａ）は球面収差の図（軸上色収差の図）、（ｂ）は非点収差の図、（ｃ）は歪曲収差の図）
【図５】本発明の第３の実施の形態における撮像レンズの構成を示す配置図
【図６】本発明の実施例３における撮像レンズの収差図（（ａ）は球面収差の図（軸上色収差の図）、（ｂ）は非点収差の図、（ｃ）は歪曲収差の図）
【発明を実施するための形態】
【００２１】
以下、実施の形態を用いて本発明をさらに具体的に説明する。
【００２２】
［第１の実施の形態］
図１は、本発明の第１の実施の形態における撮像レンズの構成を示す配置図である。
【００２３】
図１に示すように、本実施の形態の撮像レンズ７は、物体側（図１では左側）から像面側（図１では右側）に向かって順に配置された、開口絞り５と、正のパワーを有する両凸レンズからなる第１レンズ１と、負のパワーを有し、像面側のレンズ面が凹面であるメニスカスレンズからなる第２レンズ２と、正のパワーを有し、像面側のレンズ面が凸面であるメニスカスレンズからなる第３レンズ３と、負のパワーを有し、両方のレンズ面が非球面形状で、像面側のレンズ面が光軸近傍で凹面である第４レンズ４とを備えている。ここで、パワーは、焦点距離の逆数で定義される量である。撮像レンズ７は、撮像素子（例えば、ＣＣＤ）の撮像面Ｓに対して光学像を形成する（被写体の像を結像させる）撮像用の単焦点レンズであり、撮像素子は、被写体に対応した光信号を画像信号に変換して出力する。そして、撮像素子と撮像レンズ７とを用いて、撮像装置が構成される。
【００２４】
第４レンズ４と撮像素子の撮像面Ｓとの間には、透明な平行平板６が配置されている。ここで、平行平板６は、光学ローパスフィルタとＩＲカットフィルタと撮像素子のフェースプレート（カバーガラス）に等価な平板である。
【００２５】
第１レンズ１の物体側のレンズ面から平行平板６の像面側の面に至る各面（以下「光学面」ともいう）を、物体側から順に、「第１面」、「第２面」、「第３面」、「第４面」、・・・、「第８面」、「第９面」、「第１０面」と呼ぶこととする（後述する第２及び第３の実施の形態についても同様である）。
【００２６】
レンズ面の非球面形状は、下記（数１）で与えられる（後述する第２及び第３の実施の形態についても同様である）。
【００２７】
【数１】
2010271541.tif 000003
但し、上記（数１）中、Ｙは光軸からの高さ、Ｘは光軸からの高さがＹの非球面形状の非球面頂点の接平面からの距離、Ｒ0は非球面頂点の曲率半径、κは円錐常数、Ａ４、Ａ６、Ａ８、Ａ１０、Ａ１２はそれぞれ４次、６次、８次、１０次、１２次の非球面係数を表わしている。
【００２８】
また、本実施の形態の撮像レンズ７は、下記条件式（１）、（２）を満足するように構成されている。
【００２９】
１．２０＜ｆ／Ｙ’＜１．３５            ・・・（１）
ＴＬ／Ｙ’＜２．０                      ・・・（２）
ここで、ｆは光学系全体の焦点距離、Ｙ’は最大像高、ＴＬは光学全長（第１レンズ１の物体側のレンズ面の頂点（開口絞り５の物体側前面）から撮像素子の撮像面Ｓまでの光軸に沿った距離（平行平板６の部分は空気長換算））である。
【００３０】
上記条件式（１）は、小型化と諸収差の良好な補正を実現しつつ、最大画角が７０°以上の広角化を実現するための条件式である。ｆ／Ｙ’が１．３５以上になると、最大画角７０°以上を確保することができなくなる。また、ｆ／Ｙ’が１．２０以下になると、最大画角が８０°以上になって、小型化と諸収差の良好な補正を実現することが困難になってしまう。
【００３１】
また、上記条件式（２）は、撮像レンズの小型化を図るための条件式である。ＴＬ／Ｙ’が２．０以上になると、近年求められているレベルでの光学全長の短縮化（小型化）を図ることが困難になってしまう。
【００３２】
本実施の形態の撮像レンズ７の構成によれば、レンズの構成枚数が少なく、かつ、上記条件式（２）を満足することにより、小型の撮像レンズを実現することができる。また、第１レンズ１が両凸レンズであることにより、正のパワーをそれぞれのレンズ面に分散させることができるので、収差が発生しにくく、小型化しやすい撮像レンズを提供することができる。また、第２及び第３レンズ２、３として、像面側のレンズ面が凹面である第２レンズ２と、像面側のレンズ面が凸面であるメニスカスレンズからなる第３レンズ３とを用いていることにより、第２及び第３レンズ２、３に入射する光線の角度を小さくして、光線収差を小さくすることができる。また、第４レンズ４の両方のレンズ面を非球面形状としたことにより、歪曲収差及び像面湾曲を良好に補正することができる。また、上記条件式（１）を満足させることにより、最大画角が７０°以上の広角化を実現することができる。
【００３３】
そして、以上のことから、本実施の形態の撮像レンズ７の構成によれば、小型化を図ることができると共に、諸収差が良好に補正されて、携帯電話機等の小型のモバイル製品に搭載される高画素の撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能な、最大画角が７０°以上の撮像レンズを提供することができる。
【００３４】
また、本実施の形態の撮像レンズ７は、下記条件式（３）を満足するように構成されているのが望ましい。
【００３５】
１．０５＜｜Ｒ１１／Ｒ１２｜＜３．０    ・・・（３）
ここで、Ｒ１１は第１レンズ１の物体側のレンズ面の曲率半径、Ｒ１２は第１レンズ１の像面側のレンズ面の曲率半径である。
【００３６】
上記条件式（３）は、諸収差、特に、球面収差及び軸上色収差を良好に補正するための第１レンズ１の形状に関する条件式である。すなわち、上記条件式（３）を満足させることにより、第１レンズ１において、物体側のレンズ面よりも像面側のレンズ面のパワーを大きくして、小型化と広角化を図りつつ、諸収差、特に、球面収差及び軸上色収差をさらに良好に補正することが可能となる。
【００３７】
また、本実施の形態の撮像レンズ７は、下記条件式（４）を満足するように構成されているのが望ましい。
【００３８】
６０＜ν１                            ・・・（４）
ここで、ν１は第１レンズ１のｄ線（５８７．５６００ｎｍ）に対するアッベ数である。
【００３９】
このように、パワーの大きい第１レンズ１として上記条件式（４）を満足するガラスレンズを用いることにより、各レンズ間のレンズ間隔を狭くしても、諸収差、特に、色収差を良好に補正することができる。従って、上記条件式（４）を満足させることにより、撮像レンズのさらなる小型化を図ることができる。
【００４０】
また、この場合には、第２〜第４レンズ２〜４がプラスチックレンズからなるのが望ましい。この望ましい構成によれば、第２〜第４レンズ２〜４として低コストのプラスチックレンズを用いて、撮像レンズの低コスト化を図ることができる。また、このように第２〜第４レンズ２〜４としてプラスチックレンズを用いることにより、非球面形状やコバ部の形状の付与を含むレンズの成形が容易になる。そして、コバ部の形状の設計自由度が高くなることにより、第２〜第４レンズ２〜４に対して、フレアやゴーストによる撮像画像の画質の低下を防止するための構造を設計したり、組み立てやすいコバ部の形状を設計したりすることが可能となる。
【００４１】
また、本実施の形態の撮像レンズ７においては、第１〜第４レンズ１〜４が、いずれもプラスチックレンズからなるのが望ましい。また、この場合には、第３レンズ３の物体側のレンズ面が非球面形状であり、かつ、第３レンズ３の物体側のレンズ面の有効径内の、光軸から離れた周辺部に、少なくとも１つの変曲点を有するのが望ましい。また、この場合には、第４レンズ４の物体側のレンズ面の有効径内の、光軸から離れた周辺部に、少なくとも１つの変曲点を有するのが望ましい。これらの望ましい構成によれば、撮像素子の撮像面Ｓの周辺部に結像する光線の収差を良好に補正することができるので、撮像画像の画質のさらなる向上を図ることができる。
【００４２】
ガラスレンズの材料としては、例えば、硼珪酸ガラス等の、既存の材料を使用することができる。
【００４３】
プラスチックレンズの材料としては、例えば、ポリメタクリル酸メチル（ＰＭＭＡ）、ポリカーボネート樹脂（ＰＣ）、環状オレフィンポリマー、スチレン系樹脂、ポリスチレン樹脂（ＰＳ）、低吸湿アクリル等の、既存の材料を使用することができる。
【００４４】
（実施例１）
以下、具体的実施例を挙げて、本実施の形態における撮像レンズをさらに詳細に説明する。
【００４５】
下記（表１）に、本実施例における撮像レンズの具体的数値例を示す。
【００４６】
【表１】
2010271541.tif 000004
上記（表１）において、ｒ（ｍｍ）は光学面の曲率半径、ｄ（ｍｍ）は第１〜第４レンズ１〜４並びに平行平板６の軸上での肉厚又は面間隔、Ｎは第１〜第４レンズ１〜４並びに平行平板６のｄ線に対する屈折率、νは第１〜第４レンズ１〜４並びに平行平板６のｄ線に対するアッベ数を示している（下記の実施例２、３についても同様である）。尚、図１に示す撮像レンズ７は、上記（表１）のデータに基づいて構成されたものである。
【００４７】
上記（表１）から分かるように、第２〜第４レンズ２〜４がプラスチックレンズからなり（上記（表１）の屈折率及びアッベ数の値から明らか）、低コスト化が図られている。また、第１レンズ１のｄ線に対するアッベ数ν１は７０．２となっている（下記（表３）参照）。このように、パワーの大きい第１レンズ１として上記条件式（４）を満足するガラスレンズを用いることにより、撮像レンズ７の小型化が図られている。すなわち、第１レンズ１の物体側のレンズ面の頂点（開口絞り５の物体側前面）から撮像素子の撮像面Ｓまでの光軸に沿った距離である光学全長ＴＬは５．３１ｍｍとなっている（下記（表３）参照）。
【００４８】
また、下記（表２Ａ）、（表２Ｂ）に、本実施例における撮像レンズの非球面係数（円錐常数を含む）を示す。下記（表２Ａ）、（表２Ｂ）中、「Ｅ＋００」、「Ｅ−０２」等は、それぞれ「１０+00 」、「１０-02 」等を表わすものとする（下記の実施例２、３についても同様である）。
【００４９】
【表２Ａ】
2010271541.tif 000005
【００５０】
【表２Ｂ】
2010271541.tif 000006
尚、上記（表２Ａ）、（表２Ｂ）に示すように、本実施例の撮像レンズ７においては、第１〜第４レンズ１〜４の全てのレンズ面が非球面形状となっているが、必ずしもかかる構成に限定されるものではない。少なくとも、第４レンズ４の両方のレンズ面が非球面形状であればよい。
【００５１】
また、下記（表３）に、本実施例における撮像レンズ７の、Ｆナンバー（Ｆ値）Ｆｎｏ、光学系全体の焦点距離ｆ（ｍｍ）、画角２ω（°）、最大像高Ｙ’（ｍｍ）、光学全長ＴＬ（ｍｍ）、及び、各条件式（１）〜（４）の値を示す。
【００５２】
【表３】
2010271541.tif 000007
上記（表３）に示すように、Ｆ値（Ｆｎｏ）が２．８と明るい撮像レンズが実現されている。また、画角２ωは７２．３°であり、最大画角が７０°以上の広角化が実現されている。
【００５３】
図２に、本実施例における撮像レンズの収差図を示す。図２において、（ａ）は球面収差の図であり、実線はｇ線（４３５．８３００ｎｍ）、長い破線はＣ線（６５６．２７００ｎｍ）、二点鎖線はｄ線（５８７．５６００ｎｍ）に対する値を示している。（ｂ）は非点収差の図であり、実線はサジタル像面湾曲、破線はメリディオナル像面湾曲を示している。（ｃ）は歪曲収差の図である。尚、軸上色収差は、図２（ａ）の球面収差の図から読み取ることができ、ｄ線に対する球面収差の値（二点鎖線）とｇ線に対する球面収差の値（実線）の差を、『ｇ線のｄ線に対する軸上色収差』という。
【００５４】
図２に示す収差図から明らかなように、本実施例の撮像レンズ７は、諸収差、特に、球面収差及び軸上色収差が良好に補正され、携帯電話機等の小型のモバイル製品に搭載される高画素な撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能であることが分かる。
【００５５】
［第２の実施の形態］
図３は、本発明の第２の実施の形態における撮像レンズの構成を示す配置図である。
【００５６】
図３に示すように、本実施の形態の撮像レンズ１４は、物体側（図３では左側）から像面側（図３では右側）に向かって順に配置された、開口絞り１２と、正のパワーを有する両凸レンズからなる第１レンズ８と、負のパワーを有し、像面側のレンズ面が凹面であるメニスカスレンズからなる第２レンズ９と、正のパワーを有し、像面側のレンズ面が凸面であるメニスカスレンズからなる第３レンズ１０と、負のパワーを有し、両方のレンズ面が非球面形状で、像面側のレンズ面が光軸近傍で凹面である第４レンズ１１とを備えている。
【００５７】
第４レンズ１１と撮像素子の撮像面Ｓとの間には、上記第１の実施の形態の平行平板６と同様の透明な平行平板１３が配置されている。
【００５８】
また、本実施の形態の撮像レンズ１４も、上記条件式（１）、（２）を満足するように構成されている。
【００５９】
また、本実施の形態の撮像レンズ１４も、上記条件式（３）を満足するように構成されているのが望ましい。
【００６０】
また、本実施の形態の撮像レンズ１４も、上記条件式（４）を満足するように構成されているのが望ましい。また、この場合には、第２〜第４レンズ９〜１１がプラスチックレンズからなるのが望ましい。
【００６１】
また、本実施の形態の撮像レンズ１４においても、第１〜第４レンズ８〜１１が、いずれもプラスチックレンズからなるのが望ましい。また、この場合には、第３レンズ１０の物体側のレンズ面が非球面形状であり、かつ、第３レンズ１０の物体側のレンズ面の有効径内の、光軸から離れた周辺部に、少なくとも１つの変曲点を有するのが望ましい。また、この場合には、第４レンズ１１の物体側のレンズ面の有効径内の、光軸から離れた周辺部に、少なくとも１つの変曲点を有するのが望ましい。
【００６２】
そして、本実施の形態の撮像レンズ１４の構成によっても、上記第１の実施の形態の撮像レンズ７の構成による作用効果と同様の作用効果が得られる。
【００６３】
（実施例２）
以下、具体的実施例を挙げて、本実施の形態における撮像レンズをさらに詳細に説明する。
【００６４】
下記（表４）に、本実施例における撮像レンズの具体的数値例を示す。尚、図３に示す撮像レンズ１４は、下記（表４）のデータに基づいて構成されたものである。
【００６５】
【表４】
2010271541.tif 000008
上記（表４）から分かるように、第１〜第４レンズ８〜１１の全てのレンズがプラスチックレンズからなり（上記（表４）の屈折率及びアッベ数の値から明らか）、さらなる低コスト化が図られている。また、第１レンズ８の物体側のレンズ面の頂点（開口絞り１２の物体側前面）から撮像素子の撮像面Ｓまでの光軸に沿った距離である光学全長ＴＬは５．４６ｍｍであり（下記（表６）参照）、上記実施例１のようにパワーの大きい第１レンズ１として上記条件式（４）を満足するガラスレンズを用いた場合と比較して若干長めではあるが、撮像レンズ１４の小型化が図られている。
【００６６】
また、下記（表５Ａ）、（表５Ｂ）に、本実施例における撮像レンズの非球面係数（円錐常数を含む）を示す。
【００６７】
【表５Ａ】
2010271541.tif 000009
【００６８】
【表５Ｂ】
2010271541.tif 000010
尚、上記（表５Ａ）、（表５Ｂ）に示すように、本実施例の撮像レンズ１４においては、第１〜第４レンズ８〜１１の全てのレンズ面が非球面形状となっているが、必ずしもかかる構成に限定されるものではない。少なくとも、第４レンズ１１の両方のレンズ面が非球面形状であればよい。
【００６９】
また、下記（表６）に、本実施例における撮像レンズ１４の、Ｆナンバー（Ｆ値）Ｆｎｏ、光学系全体の焦点距離ｆ（ｍｍ）、画角２ω（°）、最大像高Ｙ’（ｍｍ）、光学全長ＴＬ（ｍｍ）、及び、各条件式（１）〜（４）の値を示す。
【００７０】
【表６】
2010271541.tif 000011
上記（表６）に示すように、Ｆ値（Ｆｎｏ）が２．８と明るい撮像レンズが実現されている。また、画角２ωは７４．７°であり、最大画角が７０°以上の広角化が実現されている。
【００７１】
また、上記（表４）、（表５Ａ）、（表５Ｂ）、（表６）から分かるように、本実施例の撮像レンズ１４は、第３レンズ１０の物体側のレンズ面の有効径内の、光軸から離れた周辺部に、変曲点を１個有しており、第４レンズ１１の物体側のレンズ面の有効径内の、光軸から離れた周辺部に、変曲点を２個有している。
【００７２】
図４に、本実施例における撮像レンズの収差図を示す。図４において、（ａ）は球面収差の図であり、実線はｇ線、長い破線はＣ線、二点鎖線はｄ線に対する値を示している。（ｂ）は非点収差の図であり、実線はサジタル像面湾曲、破線はメリディオナル像面湾曲を示している。（ｃ）は歪曲収差の図である。尚、軸上色収差は、上記実施例１の場合と同様に、図４（ａ）の球面収差の図から読み取ることができる。
【００７３】
図４に示す収差図から明らかなように、本実施例の撮像レンズ１４は、諸収差、特に、球面収差及び軸上色収差が良好に補正され、携帯電話機等の小型のモバイル製品に搭載される高画素な撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能であることが分かる。
【００７４】
［第３の実施の形態］
図５は、本発明の第３の実施の形態における撮像レンズの構成を示す配置図である。
【００７５】
図５に示すように、本実施の形態の撮像レンズ２１は、物体側（図５では左側）から像面側（図５では右側）に向かって順に配置された、開口絞り１９と、正のパワーを有する両凸レンズからなる第１レンズ１５と、負のパワーを有し、像面側のレンズ面が凹面である第２レンズ１６と、正のパワーを有し、像面側のレンズ面が凸面であるメニスカスレンズからなる第３レンズ１７と、負のパワーを有し、両方のレンズ面が非球面形状で、像面側のレンズ面が光軸近傍で凹面である第４レンズ１８とを備えている。
【００７６】
第４レンズ１８と撮像素子の撮像面Ｓとの間には、上記第１の実施の形態の平行平板６と同様の透明な平行平板２０が配置されている。
【００７７】
また、本実施の形態の撮像レンズ２１も、上記条件式（１）、（２）を満足するように構成されている。
【００７８】
また、本実施の形態の撮像レンズ２１も、上記条件式（３）を満足するように構成されているのが望ましい。
【００７９】
また、本実施の形態の撮像レンズ２１も、上記条件式（４）を満足するように構成されているのが望ましい。また、この場合には、第２〜第４レンズ１６〜１８がプラスチックレンズからなるのが望ましい。
【００８０】
また、本実施の形態の撮像レンズ２１においても、第１〜第４レンズ１５〜１８が、いずれもプラスチックレンズからなるのが望ましい。また、この場合には、第３レンズ１７の物体側のレンズ面が非球面形状であり、かつ、第３レンズ１７の物体側のレンズ面の有効径内の、光軸から離れた周辺部に、少なくとも１つの変曲点を有するのが望ましい。また、この場合には、第４レンズ１８の物体側のレンズ面の有効径内の、光軸から離れた周辺部に、少なくとも１つの変曲点を有するのが望ましい。
【００８１】
そして、本実施の形態の撮像レンズ２１の構成によっても、上記第１の実施の形態の撮像レンズ７の構成による作用効果と同様の作用効果が得られる。
【００８２】
（実施例３）
以下、具体的実施例を挙げて、本実施の形態における撮像レンズをさらに詳細に説明する。
【００８３】
下記（表７）に、本実施例における撮像レンズの具体的数値例を示す。尚、図５に示す撮像レンズ２１は、下記（表７）のデータに基づいて構成されたものである。
【００８４】
【表７】
2010271541.tif 000012
上記（表７）から分かるように、第１〜第４レンズ１５〜１８の全てのレンズがプラスチックレンズからなり（上記（表７）の屈折率及びアッベ数の値から明らか）、さらなる低コスト化が図られている。また、第１レンズ１５の物体側のレンズ面の頂点（開口絞り１９の物体側前面）から撮像素子の撮像面Ｓまでの光軸に沿った距離である光学全長ＴＬは５．４５ｍｍであり（下記（表９）参照）、上記実施例１のようにパワーの大きい第１レンズ１として上記条件式（４）を満足するガラスレンズを用いた場合と比較して若干長めではあるが、撮像レンズ２１の小型化が図られている。
【００８５】
また、下記（表８Ａ）、（表８Ｂ）に、本実施例における撮像レンズの非球面係数（円錐常数を含む）を示す。
【００８６】
【表８Ａ】
2010271541.tif 000013
【００８７】
【表８Ｂ】
2010271541.tif 000014
尚、上記（表８Ａ）、（表８Ｂ）に示すように、本実施例の撮像レンズ２１においては、第１〜第４レンズ１５〜１８の全てのレンズ面が非球面形状となっているが、必ずしもかかる構成に限定されるものではない。少なくとも、第４レンズ１８の両方のレンズ面が非球面形状であればよい。
【００８８】
また、下記（表９）に、本実施例における撮像レンズ２１の、Ｆナンバー（Ｆ値）Ｆｎｏ、光学系全体の焦点距離ｆ（ｍｍ）、画角２ω（°）、最大像高Ｙ’（ｍｍ）、光学全長ＴＬ（ｍｍ）、及び、各条件式（１）〜（４）の値を示す。
【００８９】
【表９】
2010271541.tif 000015
上記（表９）に示すように、Ｆ値（Ｆｎｏ）が２．８と明るい撮像レンズが実現されている。また、画角２ωは７５．１°であり、最大画角が７０°以上の広角化が実現されている。
【００９０】
また、上記（表７）、（表８Ａ）、（表８Ｂ）、（表９）から分かるように、本実施例の撮像レンズ２１は、第３レンズ１７の物体側のレンズ面の有効径内の、光軸から離れた周辺部に、変曲点を１個有しており、第４レンズ１８の物体側のレンズ面の有効径内の、光軸から離れた周辺部に、変曲点を２個有している。
【００９１】
図６に、本実施例における撮像レンズの収差図を示す。図６において、（ａ）は球面収差の図であり、実線はｇ線、長い破線はＣ線、二点鎖線はｄ線に対する値を示している。（ｂ）は非点収差の図であり、実線はサジタル像面湾曲、破線はメリディオナル像面湾曲を示している。（ｃ）は歪曲収差の図である。尚、軸上色収差は、上記実施例１の場合と同様に、図６（ａ）の球面収差の図から読み取ることができる。
【００９２】
図６に示す収差図から明らかなように、本実施例の撮像レンズ２１は、諸収差、特に、球面収差及び軸上色収差が良好に補正され、携帯電話機等の小型のモバイル製品に搭載される高画素な撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能であることが分かる。
【産業上の利用可能性】
【００９３】
本発明の撮像レンズは、小型化を図ることができると共に、諸収差が良好に補正され、携帯電話機等の小型のモバイル製品に搭載される高画素の撮像素子（例えば、画素ピッチが１．７５μｍ、画素数が５メガピクセルのＣＭＯＳイメージセンサから画素ピッチが１．４μｍ、画素数が８メガピクセルのＣＭＯＳイメージセンサ）に対応可能な、最大画角が７０°以上の撮像レンズであるので、高画素化が望まれる撮像素子を内蔵した携帯電話機等の小型のモバイル製品の分野において特に有用である。
【符号の説明】
【００９４】
１、８、１５  第１レンズ
２、９、１６  第２レンズ
３、１０、１７  第３レンズ
４、１１、１８  第４レンズ
５、１２、１９  開口絞り
６、１３、２０  平行平板
７、１４、２１  撮像レンズ
Ｓ  撮像面
【図１】
2010271541.tif 000016
【図２】
2010271541.tif 000017
【図３】
2010271541.tif 000018
【図４】
2010271541.tif 000019
【図５】
2010271541.tif 000020
【図６】
2010271541.tif 000021